(57)【特許請求の範囲】
【請求項１】
分離票が分離可能に区画形成されるとともに一方の面の前記分離票を除いた領域に粘着層が設けられた伝票片と、該伝票片の前記一方の面に剥離可能に貼着された剥離台紙とを有し、前記伝票片が前記剥離台紙から剥離されて前記粘着層によって配送物に貼着される配送伝票において、
前記剥離台紙は、前記分離票に対向する領域に、その一方向の両端部のみが前記粘着層に対向してなる分離部が分離可能に区画形成されていることを特徴とする配送伝票。
【請求項２】
請求項１に記載の配送伝票において、
前記分離部は、前記粘着層に対向する領域を切り離す切り離し線を有する配送伝票。
【請求項３】
請求項２に記載の配送伝票において、
前記分離部は、前記分離票に対して、前記一方向に直交する方向の長さが短い配送伝票。
【発明の詳細な説明】
【技術分野】
【０００１】
本発明は、配送物に貼着されて使用される配送伝票に関する。
【背景技術】
【０００２】
従来より、配送物を配送する場合、配送物の配送元及び配送先の住所や氏名あるいは名称等の配送情報が記入された配送伝票が用いられ、配送情報が記入された配送伝票が配送物に貼付され、配送伝票に記入された配送情報に従って配送物が配送先に配送されている。
【０００３】
このような配送伝票としては、配送物に貼付される伝票片に、配送物が配送先に配送された後に配送業者が持ち帰る配達票が分離可能に区画形成されているものが用いられている。この配送伝票を用いた場合、配送物が配送先に配送されると、配達票に受領印が押下され、配達票が伝票片から分離されて配送業者によって持ち帰られることにより、配送物が配送先に配送されたことが管理されることになっている。
【０００４】
上述したように配達票を伝票片から分離して持ち帰るためには、伝票片のうち配達票となる部分が配送物に貼着されていない状態としておく必要がある。そこで、伝票片のうち配達票となる部分のみ粘着層を設けず、それにより、伝票片が配送物に貼着された後においても配達票のみを配送物から離脱可能としている。また、伝票片のうち配達票となる部分のみ粘着層を設けない構成とするとともに、伝票片が配送物に貼着される前の状態にて伝票片に剥離可能に貼着されている剥離台紙に、配達票を分離可能とする切り取り線よりも大きな輪郭を有するハーフカット線を形成し、剥離台紙のハーフカット線の内側となる部分を伝票片とともに配送物に貼着する技術も考えられている（例えば、特許文献１参照。）。このように剥離台紙の一部を伝票片とともに配送物に貼着しておくことにより、配達票を伝票片から分離する際に配送物が汚れてしまうことを回避できるとともに、配達票を伝票片から分離した後に配送伝票の形状に違和感を感じにくくなる。また、剥離台紙のハーフカット線の内側となる領域に情報を表示しておけば、配送伝票を用いて配送物の配送先に所望の情報を通知することができるようになる。
【特許文献１】特許第３９６０５５２号公報
【発明の開示】
【発明が解決しようとする課題】
【０００５】
しかしながら、上述したように、伝票片のうち配達票となる部分のみ粘着層を設けない構成とするとともに、伝票片が配送物に貼着される前の状態にて伝票片に剥離可能に貼着されている剥離台紙に、配達票を分離可能とする切り取り線よりも大きな輪郭を有するハーフカット線を形成し、剥離台紙のハーフカット線の内側となる部分を伝票片とともに配送物に貼着するものにおいては、剥離台紙のうち、配達票を分離可能とする切り取り線よりも大きな輪郭を有するハーフカット線の内側となる部分を伝票片とともに配送物に貼着することになるため、配達票よりも大きな輪郭を有する領域が粘着剤によって配送物に貼着されていない状態となってしまう。これは、剥離台紙のハーフカット線の内側となる部分を伝票片から離脱させないために剥離台紙のハーフカット線の内側となる部分の周縁部を伝票片に貼着させておくためであるが、それにより、伝票片の配送物に対する貼着面積が狭くなり、配送伝票が配送物から離脱しやすくなってしまうという問題点がある。
【０００６】
本発明は、上述したような従来の技術が有する問題点に鑑みてなされたものであって、伝票片が配送物に貼着される前の状態にて伝票片に剥離可能に貼着されている剥離台紙の一部を伝票片とともに配送物に貼着する場合に伝票片の配送物に対する貼着面積を広くすることができる配送伝票を提供することを目的とする。
【課題を解決するための手段】
【０００７】
上記目的を達成するために本発明は、
分離票が分離可能に区画形成されるとともに一方の面の前記分離票を除いた領域に粘着層が設けられた伝票片と、該伝票片の前記一方の面に剥離可能に貼着された剥離台紙とを有し、前記伝票片が前記剥離台紙から剥離されて前記粘着層によって配送物に貼着される配送伝票において、
前記剥離台紙は、前記分離票に対向する領域に、その一方向の両端部のみが前記粘着層に対向してなる分離部が分離可能に区画形成されていることを特徴とする。
【０００８】
上記のように構成された本発明においては、剥離台紙を伝票片から剥離すると、剥離台紙から分離部が分離する。分離部は、周縁部の一部が伝票片の粘着層に対向しているため、伝票片から剥離することなく伝票片とともに配送物に貼着される。配送伝票は、伝票片の分離票を除いた領域に設けられた粘着層によって配送物に貼着されるが、伝票片とともに配送物に貼着される剥離台紙の分離部は、周縁部の一部が伝票片の粘着層に対向しているので、分離部の周縁部の全周が伝票片の粘着層に対向しているものと比べて粘着層による配送伝票の貼着面積が広くなる。これにより、配送伝票が配送物から離脱しにくくなる。
【０００９】
また、分離部に、粘着層に対向する領域を切り離す切り離し線を設けた場合は、分離部の配送物に対向する面に配送物の配送先に通知したい情報を表示しておけば、伝票片から分離票を分離した後、分離部を切り離し線によって切り離すことにより、その情報を配送物の配送先に通知することができ、分離部の伝票片に対向する面に表示された情報以外にも情報を通知することができるようになり、情報表示面積を広くすることができる。
【発明の効果】
【００１０】
以上説明したように本発明においては、分離票が分離可能に区画形成されるとともに一方の面の分離票を除いた領域に粘着層が設けられた伝票片と、伝票片の一方の面に剥離可能に貼着された剥離台紙とを有し、剥離台紙が、分離票に対向する領域に、周縁部の一部が粘着層に対向してなる分離部が分離可能に区画形成されている構成としたため、剥離台紙の一部を伝票片とともに配送物に貼着する場合に伝票片の配送物に対する貼着面積を広くすることができる。
【００１１】
また、分離部が、粘着層に対向する領域を切り離す切り離し線を有する構成としたものにおいては、分離部の配送物に対向する面に配送物の配送先に通知したい情報を表示しておけば、伝票片から分離票を分離した後、分離部を切り離し線によって切り離すことにより、その情報を配送物の配送先に通知することができ、分離部の伝票片に対向する面に表示された情報以外にも情報を通知することができるようになり、情報表示面積を広くすることができる。
【発明を実施するための最良の形態】
【００１２】
以下に、本発明の実施の形態について図面を参照して説明する。
【００１３】
（第１の実施の形態）
図１は、本発明の配送伝票の第１の実施の形態を示す図であり、（ａ）は表面から見た図、（ｂ）は（ａ）に示したＡ−Ａ’断面図、（ｃ）は伝票片１０の裏面の構成を示す図、（ｄ）は剥離台紙２０の伝票片１０との貼着面の構成を示す図、（ｅ）は剥離台紙２０の伝票片１０との貼着面とは反対側の面の構成を示す図、（ｆ）は（ａ）に示したＢ−Ｂ’断面図である。
【００１４】
本形態は図１に示すように、互いに同一形状を有する伝票片１０と剥離台紙２０とが、伝票片１０の裏面に粘着剤３０が塗布されることにより設けられた粘着層によって貼着されて構成されている。
【００１５】
伝票片１０は、貼付票１１と分離票となる配達票１２とを有し、これら貼付票１１及び配達票１２にはそれぞれ、この配送伝票が貼着される配送物の配送元及び配送先の住所や氏名あるいは名称等の配送情報が記入あるいは印字される配送情報表示領域１１ａ，１２ａが設けられており、配達票１２にはさらに、配送物が配送先に届けられた際に受領印を押下するための押印領域１２ｂが設けられている。配達票１２の周囲にはミシン目１３が形成されており、このミシン目１３によって配達票１２は伝票片１０から分離可能に区画形成されている。また、配達票１２の角部には、切り込み１２ｃが形成されており、この切り込み１２ｃが、配達票１２を伝票片１０から分離する際に摘み代となっている。伝票片１０の裏面には、配達票１２を除いた領域に粘着剤３０が塗布されている。
【００１６】
剥離台紙２０は、配達票１２に対向する領域に分離部２２を有し、分離部２２の周囲に形成されたスリット２３及びミシン目２６によって分離部２２が剥離台紙２０から分離可能に区画形成されている。そして、分離部２２の長手方向の長さは配達票１２よりも長く、分離部２２のそれに直交する方向の長さは配達票１２よりも短くなっている。分離部２２の伝票片１０との貼着面には通知情報２５ａが印字され、分離部２２の他方の面には通知情報２５ｂが印字されている。さらに、分離部２２は、長手方向における両端部に切り離し線となるミシン目２４が形成されている。このミシン目２４が形成された領域は、配達票１２に対向する領域あるいは伝票片１０のミシン目１３に重なる領域となっており、それにより、分離部２２のうち、配達票１２に対向しない領域、すなわち、粘着剤３０に対向する領域を分離部２２から切り離すことが可能となっている。また、剥離台紙２０の伝票片１０との貼着面のうち、分離部２２以外の領域には剥離剤２１が塗布されており、それにより、この領域においては、伝票片１０と剥離台紙２０とが剥離可能に貼着される。このような構成とすることにより、分離部２２は、配達票１２に対向する領域に設けられ、一部となる長手方向における両端部のみが粘着剤３０に対向している。なお、上述したように、分離部２２の周縁部のうち、粘着剤３０に対向しない部分のみをミシン目２６とすることにより、伝票片１０と剥離台紙２０とが貼着された状態において、この領域が浮いてしまい、伝票片１０と剥離台紙２０との間に異物が入ってしまったり、指等がひっかかって剥離台紙２０が破れてしまったり、配送情報を印字する際にプリンタにて搬送不良が生じたりすることを回避できる。また、スリット２３の代わりに、一部タイ付きのスリットを用いてもよい。
【００１７】
以下に、上記のように構成された配送伝票の使用方法について説明する。
【００１８】
図２は、図１に示した配送伝票の使用方法を説明するための図である。
【００１９】
図１に示した配送伝票の使用する場合は、まず、伝票片１０を配送物に貼着するために伝票片１０から剥離台紙２０を剥離する。伝票片１０と剥離台紙２０とは、上述したように伝票片１０の裏面に塗布された粘着剤３０によって貼着されているものの、剥離台紙２０の分離部２２を除く領域に剥離剤２１が塗布されているため、容易に剥離することができる。剥離台紙２０をその端部から剥離していくと、分離部２２の周囲にはスリット２３及びミシン目２６が形成されているため、分離部２２が剥離台紙２０から分離して伝票片１０に貼着されたまま残る（図２（ａ））。また、分離部２２の長手方向における両端部が粘着剤３０に対向しているため、分離部２２はこの領域にて伝票片１０に貼着されることにより保持される。また、剥離台紙２０の分離部２２には剥離剤２１が塗布されていないため、この領域においては剥離容易な構成となっておらず、分離部２２が剥離台紙２０の他の領域とともに伝票片１０から剥離しにくくなっている。
【００２０】
剥離台紙２０の分離部２２を除く領域を伝票片１０から剥離すると、伝票片１０の裏面に塗布された粘着剤３０が表出し（図２（ｂ））、この粘着剤３０を用いて伝票片１０を配送物に貼着する（図２（ｃ））。ここで、本形態においては、伝票片１０とともに配送物に貼着される分離部２２が、周縁部の一部となる長手方向における両端部のみが伝票片１０の粘着剤３０に対向し、この領域にて伝票片１０に貼着されることにより保持されているので、分離部２２の周縁部の全周が伝票片１０の粘着剤３０に対向しているものと比べて粘着剤３０による伝票片１０の貼着面積が広くなる。これにより、伝票片１０が配送物から離脱しにくくなる。
【００２１】
伝票片１０が貼着された配送物は、配送情報表示領域１１ａ，１２ａに記入あるいは印字された情報に従って配送先に配送されていく。
【００２２】
そして、配送物が配送先に届けられ、配達票１２の押印領域１２ｂに受領印が押下された後、配達票１２の切り込み１２ｃを摘み、ミシン目１３を破断していくことにより配達票１２を伝票片１０から分離する（図２（ｄ））。この際、配達票１２に対向する領域には分離票２２が貼着されているため、配達票１２を伝票片１０から分離する際、汚れた軍手等をはめた手で配達票１２を分離しても配送物が汚れてしまうことがない。また、配達票１２を伝票片１０から分離した後に配送伝票の形状に違和感を感じにくくなる。
【００２３】
すると、伝票片１０に貼着されている分離部２２が、配達票１２が分離された領域にて表出し、分離部２２の伝票片１０との貼着面に印字された通知情報２５ａが視認可能な状態となり、通知情報２５ａが配送物の配送先に通知されることになる（図２（ｅ））。
【００２４】
その後、分離部２２のミシン目２４を破断することにより、分離部２２の粘着剤３０に対向している領域を切り離して分離部２２を取り出すと、分離部２２の伝票片１０との貼着面とは反対側の面、すなわち配送物に対向する面に印字された通知情報２５ｂが視認可能な状態となり、通知情報２５ｂが配送物の配送先に通知されることになる（図２（ｆ））。このように、分離部２２にミシン目２４を形成し、分離部２２のうち粘着剤３０に対向することにより伝票片１０に貼着されている領域を切り離すことにより、分離部２２の伝票片１０との貼着面とは反対側の面、すなわち配送物に対向する面に印字された通知情報２５ｂを通知することができる。
【００２５】
（第２の実施の形態）
図３は、本発明の配送伝票の第２の実施の形態を示す図であり、（ａ）は表面から見た図、（ｂ）は（ａ）に示したＡ−Ａ’断面図、（ｃ）は伝票片１１０の裏面の構成を示す図、（ｄ）は剥離台紙１２０の伝票片１１０との貼着面の構成を示す図、（ｅ）は（ａ）に示したＢ−Ｂ’断面図である。
【００２６】
本形態は図３に示すように、互いに同一形状を有する伝票片１１０と剥離台紙１２０とが、伝票片１１０の裏面に粘着剤１３０が塗布されることにより設けられた粘着層によって貼着されて構成されている。
【００２７】
伝票片１１０は、貼付票１１１と分離票となる配達票１１２とを有し、これら貼付票１１１及び配達票１１２にはそれぞれ、この配送伝票が貼着される配送物の配送元及び配送先の住所や氏名あるいは名称等の配送情報が記入あるいは印字される配送情報表示領域１１１ａ，１１２ａが設けられており、配達票１１２にはさらに、配送物が配送先に届けられた際に受領印を押下するための押印領域１１２ｂが設けられている。配達票１１２の周囲にはミシン目１１３が形成されており、このミシン目１１３によって配達票１１２は伝票片１１０から分離可能に区画形成されている。また、配達票１１２の角部には、切り込み１１２ｃが形成されており、この切り込み１１２ｃが、配達票１１２を伝票片１１０から分離する際に摘み代となっている。伝票片１１０の裏面には、貼付票１１１及び配達票１１２を除いた領域に粘着剤１３０が塗布されている。
【００２８】
剥離台紙１２０は、貼付票１１１及び配達票１１２に対向する領域に分離部１２２を有し、分離部１２２の周囲に形成されたスリット１２３によって分離部１２２が剥離台紙１２０から分離可能に区画形成されている。そして、分離部１２２の長手方向の長さは貼付票１１１及び配達票１１２よりも長く、分離部１２２のそれに直交する方向の長さは貼付票１１１及び配達票１１２よりも短くなっている。分離部１２２の伝票片１１０との貼着面には通知情報１２５が印字されている。さらに、分離部１２２は、長手方向における両端部に切り離し線となるミシン目１２４が形成されている。このミシン目１２４が形成された領域は、貼付票１１１もしくは配達票１１２に対向する領域または貼付票１１１もしくは配達票１１２と他の領域との境界に重なる領域となっており、それにより、分離部１２２のうち、貼付票１１１あるいは配達票１１２に対向しない領域、すなわち、粘着剤１３０に対向する領域を分離部１２２から切り離すことが可能となっている。また、剥離台紙１２０の伝票片１１０との貼着面のうち、分離部１２２以外の領域には剥離剤１２１が塗布されており、それにより、この領域においては、伝票片１１０と剥離台紙１２０とが剥離可能に貼着される。このような構成とすることにより、分離部１２２は、配達票１１２に対向する領域に設けられ、一部となる長手方向における両端部のみが粘着剤１３０に対向している。
【００２９】
以下に、上記のように構成された配送伝票の使用方法について説明する。
【００３０】
図４は、図３に示した配送伝票の使用方法を説明するための図である。
【００３１】
図３に示した配送伝票の使用する場合は、まず、伝票片１１０を配送物に貼着するために伝票片１１０から剥離台紙１２０を剥離する。伝票片１１０と剥離台紙１２０とは、上述したように伝票片１１０の裏面に塗布された粘着剤１３０によって貼着されているものの、剥離台紙１２０の分離部１２２を除く領域に剥離剤１２１が塗布されているため、容易に剥離することができる。剥離台紙１２０をその端部から剥離していくと、分離部１２２の周囲にはスリット１２３が形成されているため、分離部１２２が剥離台紙１２０から分離して伝票片１１０に貼着されたまま残る（図４（ａ））。また、分離部１２２の長手方向における両端部が粘着剤１３０に対向しているため、分離部１２２はこの領域にて伝票片１１０に貼着されることにより保持される。また、剥離台紙１２０の分離部１２２には剥離剤１２１が塗布されていないため、この領域においては剥離容易な構成となっておらず、分離部１２２が剥離台紙１２０の他の領域とともに伝票片１１０から剥離しにくくなっている。
【００３２】
剥離台紙１２０の分離部１２２を除く領域を伝票片１１０から剥離すると、伝票片１１０の裏面に塗布された粘着剤１３０が表出し（図４（ｂ））、この粘着剤１３０を用いて伝票片１１０を配送物に貼着する（図４（ｃ））。ここで、本形態においては、伝票片１１０とともに配送物に貼着される分離部１２２が、周縁部の一部となる長手方向における両端部のみが伝票片１１０の粘着剤１３０に対向し、この領域にて伝票片１１０に貼着されることにより保持されているので、分離部１２２の周縁部の全周が伝票片１１０の粘着剤１３０に対向しているものと比べて粘着剤１３０による伝票片１０の貼着面積が広くなる。これにより、伝票片１１０が配送物から離脱しにくくなる。
【００３３】
伝票片１１０が貼着された配送物は、配送情報表示領域１１１ａ，１１２ａに記入あるいは印字された情報に従って配送先に配送されていく。
【００３４】
そして、配送物が配送先に届けられ、配達票１１２の押印領域１１２ｂに受領印が押下された後、配達票１１２の切り込み１１２ｃを摘み、ミシン目１１３を破断していくことにより配達票１１２を伝票片１１０から分離する（図４（ｄ））。この際、配達票１１２に対向する領域には分離票１２２が貼着されているため、配達票１１２を伝票片１１０から分離する際、汚れた軍手等をはめた手で配達票１１２を分離しても配送物が汚れてしまうことがない。また、配達票１１２を伝票片１１０から分離した後に配送伝票の形状に違和感を感じにくくなる。
【００３５】
すると、伝票片１１０に貼着されている分離部１２２の一部が、配達票１１２が分離された領域にて表出し、分離部１２２の伝票片１１０との貼着面に印字された通知情報１２５の一部が視認可能な状態となる（図４（ｅ））。ここで、分離部１２２の伝票片１１０との貼着面には通知情報１２５が印字されているが、分離部１２２は、伝票片１１０の貼付票１１１及び配達票１１２に対向するような形状であるため、このままでは、分離部１２２に印字された通知情報１２５の全てを視認することができない。
【００３６】
その後、分離部１２２のミシン目１２４を破断することにより、分離部１２２の粘着剤１３０に対向している領域を切り離すと、分離部１２２が伝票片１１０から分離し、分離部１２２を伝票片１１０の配達票１１１が分離した領域から取り出すことができる。すると、分離部１２２に印字された通知情報１２５の全てを視認することができるようになり、通知情報１２５が配送物の配送先に通知されることになる（図４（ｆ））。このように、分離部１２２にミシン目１２４を形成し、分離部１２２のうち粘着剤１３０に対向することにより伝票片１１０に貼着されている領域を切り離す構成とすれば、分離票１２２の形状を、伝票片１１０の貼付票１１１及び配達票１１２に対向するような形状とし、配送物の配送先に通知する通知情報１２５の情報量を増やすことができる。
【００３７】
なお、本形態においては、分離部１２２の全周にスリット１２３が形成されているものを例に挙げて説明したが、第１の実施の形態に示したものと同様に、分離部１２２の周縁部のうち、粘着剤１３０に対向しない部分のみをミシン目とすることにより、伝票片１１０と剥離台紙１２０とが貼着された状態において、この領域が浮いてしまい、伝票片１１０と剥離台紙１２０との間に異物が入ってしまったり、指等がひっかかって剥離台紙１２０が破れてしまったり、配送情報を印字する際にプリンタにて搬送不良が生じたりすることを回避できる。また、スリット１２３ではなく、一部タイ付きのスリットを用いることにより、上記同様の効果を奏する。
【００３８】
（第３の実施の形態）
図５は、本発明の配送伝票の第３の実施の形態を示す図であり、（ａ）は表面から見た図、（ｂ）は（ａ）に示したＡ−Ａ’断面図、（ｃ）は伝票片２１０の裏面の構成を示す図、（ｄ）は剥離台紙２２０の伝票片２１０との貼着面の構成を示す図、（ｅ）は剥離台紙２２０の伝票片２１０との貼着面とは反対側の面の構成を示す図、（ｆ）は（ａ）に示したＢ−Ｂ’断面図である。
【００３９】
本形態は図５に示すように、互いに同一形状を有する伝票片２１０と剥離台紙２２０とが、伝票片２１０の裏面に粘着剤２３０が塗布されることにより設けられた粘着層によって貼着されて構成されている。
【００４０】
伝票片２１０は、貼付票２１１と分離票となる配達票２１２とを有し、これら貼付票２１１及び配達票２１２にはそれぞれ、この配送伝票が貼着される配送物の配送元及び配送先の住所や氏名あるいは名称等の配送情報が記入あるいは印字される配送情報表示領域２１１ａ，２１２ａが設けられており、配達票２１２にはさらに、配送物が配送先に届けられた際に受領印を押下するための押印領域２１２ｂが設けられている。配達票２１２の周囲にはミシン目２１３が形成されており、このミシン目２１３によって配達票２１２は伝票片２１０から分離可能に区画形成されている。また、配達票２１２の角部には、切り込み２１２ｃが形成されており、この切り込み２１２ｃが、配達票２１２を伝票片２１０から分離する際に摘み代となっている。伝票片２１０の裏面には、配達票２１２を除いた領域に粘着剤２３０が塗布されている。
【００４１】
剥離台紙２２０は、配達票２１２に対向する領域に分離部２２２を有し、分離部２２２の周囲に形成されたミシン目２２６及びスリット２２３によって分離部２２２が剥離台紙２２０から分離可能に区画形成されている。分離部２２２は、長手方向における一方の端部が配達票２１２に対向しておらず、その領域が粘着剤２３０によって伝票片２１０に貼着されている。そして、その配達票２１２に対向していない領域の周囲にスリット２２３が形成され、その他の部分にはミシン目２２６が形成されている。分離部２２２の伝票片２１０との貼着面には通知情報２２５ａが印字され、分離部２２２の他方の面には通知情報２２５ｂが印字されている。さらに、分離部２２２は、配達票２１２に対向していない端部に切り離し線となるミシン目２２４が形成されている。このミシン目２２４が形成された領域は、配達票２１２に対向する領域あるいは伝票片２１０のミシン目２１３に重なる領域となっており、それにより、分離部２２２のうち、配達票２１２に対向しない領域、すなわち、粘着剤２３０に対向する領域を分離部２２２から切り離すことが可能となっている。また、剥離台紙２２０の伝票片２１０との貼着面のうち、分離部２２２以外の領域には剥離剤２２１が塗布されており、それにより、この領域においては、伝票片２１０と剥離台紙２２０とが剥離可能に貼着される。このような構成とすることにより、分離部２２２は、配達票２１２に対向する領域に設けられ、一部となる長手方向における一方の端部のみが粘着剤２３０に対向している。
【００４２】
以下に、上記のように構成された配送伝票の使用方法について説明する。
【００４３】
図６は、図５に示した配送伝票の使用方法を説明するための図である。
【００４４】
図５に示した配送伝票の使用する場合は、まず、伝票片２１０を配送物に貼着するために伝票片２１０から剥離台紙２２０を剥離する。伝票片２１０と剥離台紙２２０とは、上述したように伝票片２１０の裏面に塗布された粘着剤２３０によって貼着されているものの、剥離台紙２２０の分離部２２２を除く領域に剥離剤２２１が塗布されているため、容易に剥離することができる。剥離台紙２２０をその端部から剥離していくと、分離部２２２の周囲のうち長手方向における一方の端部にはスリット２２３が形成されているため、このスリット２２３によって分離部２２２が剥離台紙２２０から分離しはじめ、その後、分離部２２２の周囲に形成されたミシン目２２６が破断していくことにより、分離部２２２が剥離台紙２２０から分離していき、分離部２２２が伝票片２１０に貼着されたまま残る（図６（ａ））。ここで、上述したように分離部２２２を剥離台紙２２０から分離するためには、分離部２２２の剥離台紙２２０からの分離のきっかけにスリット２２３を利用することになるため、剥離台紙２２０を伝票片２１０から剥離していく方向をスリット２２３が形成された側からとする必要がある。そのため、例えば、剥離台紙２２０の裏面に剥離台紙２２０を伝票片２１０から剥離していく方向を指示するための情報を印字しておくことが好ましい。また、分離部２２２の長手方向における一方の端部が粘着剤２３０に対向しているため、分離部２２２はこの領域にて伝票片２１０に貼着されることにより保持される。また、剥離台紙２２０の分離部２２２には剥離剤２２１が塗布されていないため、この領域においては剥離容易な構成となっておらず、分離部２２２が剥離台紙２２０の他の領域とともに伝票片２１０から剥離しにくくなっている。
【００４５】
剥離台紙２２０の分離部２２２を除く領域を伝票片２１０から剥離すると、伝票片２１０の裏面に塗布された粘着剤２３０が表出し（図６（ｂ））、この粘着剤２３０を用いて伝票片２１０を配送物に貼着する（図６（ｃ））。ここで、本形態においては、伝票片２１０とともに配送物に貼着される分離部２２２が、周縁部の一部となる長手方向における一方の端部のみが伝票片２１０の粘着剤２３０に対向し、この領域にて伝票片２１０に貼着されることにより保持されているので、分離部２２２の周縁部の全周が伝票片２１０の粘着剤２３０に対向しているものと比べて粘着剤２３０による伝票片２１０の貼着面積が広くなる。これにより、伝票片２１０が配送物から離脱しにくくなる。
【００４６】
伝票片２１０が貼着された配送物は、配送情報表示領域２１１ａ，２１２ａに記入あるいは印字された情報に従って配送先に配送されていく。
【００４７】
そして、配送物が配送先に届けられ、配達票２１２の押印領域２１２ｂに受領印が押下された後、配達票２１２の切り込み２１２ｃを摘み、ミシン目２１３を破断していくことにより配達票２１２を伝票片２１０から分離する（図６（ｄ））。この際、配達票２１２に対向する領域には分離票２２２が貼着されているため、配達票２１２を伝票片２１０から分離する際、汚れた軍手等をはめた手で配達票２１２を分離しても配送物が汚れてしまうことがない。また、配達票２１２を伝票片２１０から分離した後に配送伝票の形状に違和感を感じにくくなる。
【００４８】
すると、伝票片２１０に貼着されている分離部２２２が、配達票２１２が分離された領域にて表出し、分離部２２２の伝票片２１０との貼着面に印字された通知情報２２５ａが視認可能な状態となり、通知情報２２５ａが配送物の配送先に通知されることになる（図６（ｅ））。
【００４９】
その後、分離部２２２のミシン目２２４を破断することにより、分離部２２２の粘着剤２３０に対向している領域を切り離して分離部２２２を取り出すと、分離部２２２の伝票片２１０との貼着面とは反対側の面、すなわち配送物に対向する面に印字された通知情報２２５ｂが視認可能な状態となり、通知情報２２５ｂが配送物の配送先に通知されることになる（図６（ｆ））。このように、分離部２２２にミシン目２２４を形成し、分離部２２２のうち粘着剤２３０に対向することにより伝票片２１０に貼着されている領域を切り離すことにより、分離部２２２の伝票片２１０との貼着面とは反対側の面、すなわち配送物に対向する面に印字された通知情報２２５ｂを通知することができる。
【００５０】
なお、本発明で言う分離部の周縁部の一部とは、分離部２２，１２２，２２２の全周のうち、少なくとも１辺を含まないもの、すなわち、１辺のみが粘着層に対向するもの、２辺が粘着層に対向するもの、３辺が粘着層に対向するものを言う。
【図面の簡単な説明】
【００５１】
【図１】本発明の配送伝票の第１の実施の形態を示す図であり、（ａ）は表面から見た図、（ｂ）は（ａ）に示したＡ−Ａ’断面図、（ｃ）は伝票片の裏面の構成を示す図、（ｄ）は剥離台紙の伝票片との貼着面の構成を示す図、（ｅ）は剥離台紙の伝票片との貼着面とは反対側の面の構成を示す図、（ｆ）は（ａ）に示したＢ−Ｂ’断面図である。
【図２】図１に示した配送伝票の使用方法を説明するための図である。
【図３】本発明の配送伝票の第２の実施の形態を示す図であり、（ａ）は表面から見た図、（ｂ）は（ａ）に示したＡ−Ａ’断面図、（ｃ）は伝票片の裏面の構成を示す図、（ｄ）は剥離台紙の伝票片との貼着面の構成を示す図、（ｅ）は（ａ）に示したＢ−Ｂ’断面図である。
【図４】図３に示した配送伝票の使用方法を説明するための図である。
【図５】本発明の配送伝票の第３の実施の形態を示す図であり、（ａ）は表面から見た図、（ｂ）は（ａ）に示したＡ−Ａ’断面図、（ｃ）は伝票片の裏面の構成を示す図、（ｄ）は剥離台紙の伝票片との貼着面の構成を示す図、（ｅ）は剥離台紙の伝票片との貼着面とは反対側の面の構成を示す図、（ｆ）は（ａ）に示したＢ−Ｂ’断面図である。
【図６】図５に示した配送伝票の使用方法を説明するための図である。
【符号の説明】
【００５２】
１０，１１０，２１０    伝票片
１１，１１１，２１１    貼付票
１１ａ，１２ａ，１１１ａ，１１２ａ，２１１ａ，２１２ａ    配送伝票表示領域
１２ｂ，１１２ｂ，２１２ｂ    押印領域
１２ｃ，１１２ｃ，２１２ｃ    切り込み
１３，２４，２６，１１３，１２４，２１３，２２４，２２６    ミシン目
２０，１２０，２２０    剥離台紙
２１，１２１，２２１    剥離剤
２２，１２２，２２２    分離部
２３，１２３，２２３    スリット
２５ａ，２５ｂ，１２５，２２５ａ，２２５ｂ    通知情報
３０，１３０，２３０    粘着剤
【図１】
0005053142.tif 000002
【図２】
0005053142.tif 000003
【図３】
0005053142.tif 000004
【図４】
0005053142.tif 000005
【図５】
0005053142.tif 000006
【図６】
0005053142.tif 000007